(57)【特許請求の範囲】
【請求項１】
スライドレールアセンブリであって、
第１の壁部と、第２の壁部と、該第１の壁部及び該第２の壁部の間に連結された長手壁部とを含む第１のレールであって、該第１の壁部、該第２の壁部及び該長手壁部によって第１の高さを有する通路が定義されている、第１のレールと、
前記第１のレールに対して移動可能な第２のレールであって、該第２のレールは本体部及び伸長部を含み、該本体部は第１の壁部と、第２の壁部と、該第１の壁部及び該第２の壁部の間に連結された長手壁部とを含むとともに第２の高さを有し、該伸長部は該長手壁部の一端から該長手壁部の延在方向に真っ直ぐ伸長し、該伸長部の端部は第３の高さを有し、前記第２のレールの第１の壁部は、前記伸長部に沿って、所定の距離前記第２のレールの第２の壁部を越えて伸長して一端が前記伸長部の前記端部と直交する、第２のレールと、
を含み、
前記第１のレールの通路の第１の高さは前記第２のレールの本体部の第２の高さよりも大きく、前記第２のレールの本体部の第２の高さは前記伸長部の端部の第３の高さよりも大きく、
前記伸長部は、前記伸長部の後に前記第２のレールの本体部が前記第１のレールの通路に入るようにするために、前記第１のレールの通路内に作動的に入れられるとともに、前記第１のレールの第１の壁部に直接支持されるように構成され、
当該スライドレールアセンブリは、前記第１のレールの通路内で前記第１の壁部及び前記第２の壁部の一端部分にそれぞれ固定配置される、前記第２のレールをガイドするように構成された第１の支持部材及び第２の支持部材を含む、スライドレールアセンブリ。
【請求項２】
前記伸長部は、前記第２のレールの第１の壁部及び第２の壁部の間に位置するガイド面を含む、請求項１に記載のスライドレールアセンブリ。
【請求項３】
前記ガイド面は傾斜面である、請求項２に記載のスライドレールアセンブリ。
【請求項４】
保持物体をラックに取り付けるように構成されたスライドレールアセンブリであって、当該スライドレールアセンブリは、
前記ラックに取り付けられるように構成された支持レールと、
前記支持レールに対して移動可能な第１のレールであって、該第１のレールは第１の壁部と、第２の壁部と、該第１の壁部及び該第２の壁部の間に連結された長手壁部とを含み、該第１の壁部、該第２の壁部及び該長手壁部によって定義されるとともに第１の高さを有する通路を含む、第１のレールと、
前記第１のレールの通路内に取り付けられる第２のレールであって、該第２のレールは前記保持物体を保持するように構成されるとともに、本体部及び伸長部を含み、該本体部は第１の壁部と、第２の壁部と、該第１の壁部及び該第２の壁部の間に連結された長手壁部とを含むとともに第２の高さを有し、該伸長部は該長手壁部の一端から該長手壁部の延在方向に真っ直ぐ伸長し、該伸長部の端部は第３の高さを有し、前記第２のレールの第１の壁部は、前記伸長部に沿って、所定の距離前記第２のレールの第２の壁部を越えて伸長して一端が前記伸長部の前記端部と直交し、前記伸長部は前記第１のレールの通路内で前記第１の壁部に直接支持されるように構成されている、第２のレールと、
を含み、
前記第１のレールの通路の第１の高さは前記第２のレールの本体部の第２の高さよりも大きく、前記第２のレールの本体部の第２の高さは前記伸長部の端部の第３の高さよりも大きく、
当該スライドレールアセンブリは、前記第１のレールの通路内で前記第１の壁部及び前記第２の壁部の一端部分にそれぞれ固定配置される、前記第２のレールをガイドするように構成された第１の支持部材及び第２の支持部材を含む、スライドレールアセンブリ。
【請求項５】
スライドレールアセンブリであって、
通路を含む第１のレールであって、該第１のレールは第１の壁部と、第２の壁部と、該第１の壁部及び該第２の壁部の間に連結された長手壁部とを含み、前記通路は該第１の壁部、該第２の壁部及び該長手壁部によって定義される、第１のレールと、
本体部及び伸長部を含む第２のレールであって、該本体部は第１の壁部と、第２の壁部と、該第１の壁部及び該第２の壁部の間に連結された長手壁部とを含み、該伸長部は該長手壁部の一端から該長手壁部の延在方向に真っ直ぐ伸長し、前記第１の壁部は、前記伸長部に沿って、所定の距離前記第２の壁部を越えて伸長して一端が前記伸長部の端部と直交する、第２のレールと、
を含み、
前記第２のレールの第１の壁部の伸長部は、該伸長部の後に前記第２のレールが前記第１のレールの通路内に取り付けられるように、前記第１のレールの通路に作動的に入れられるとともに、前記第１のレールの第１の壁部に直接支持されるように構成され、
当該スライドレールアセンブリは、前記第１のレールの通路内で前記第１の壁部及び前記第２の壁部の一端部分にそれぞれ固定配置される、前記第２のレールをガイドするように構成された第１の支持部材及び第２の支持部材を含む、スライドレールアセンブリ。
【発明の詳細な説明】
【技術分野】
【０００１】
本発明はスライドレールアセンブリに関し、より具体的には第１のレールに素早く取り付けることが可能な第２のレールを有するスライドレールアセンブリに関する。
【背景技術】
【０００２】
一般に、ラックシステムにおいては、支持レールによって保持物体（carried  object）をラックに取り付けることができる。特許文献１にはラックシステムが開示されている。特許文献１の図１に示されるように、情報処理システム（１０）は内側レール部材（２２）に取り付けられるように構成されている。内側レール部材（２２）は、ラック（１２）のスライドレールアセンブリ（１８）に取り付けるために、中間レール部材（２０）に挿入できる。特許文献１の図３は上部（３２）及び下部（３０）を有する中間レール部材（２０）を示す。下部（３０）は、所定の距離上部（３２）を越えて伸長した静止面（３４）を有する。そのため、内側レール部材（２２）を、中間レール部材（２０）にさらに取り付けるために中間レール部材（２０）の静止面（３４）で静止させることができる。しかしながら、様々な要件や商品の多様性のために、組み立て方法が異なるスライドレールアセンブリを提供して市場により多くの選択肢を提供することができる。
【先行技術文献】
【特許文献】
【０００３】
【特許文献１】米国特許第８７８０５６５号明細書
【発明の概要】
【課題を解決するための手段】
【０００４】
本発明は、第１のレールに素早く取り付けることが可能な第２のレールを有するスライドレールアセンブリに関する。
【０００５】
本発明の一実施形態によれば、スライドレールアセンブリは第１のレール及び第２のレールを含む。第１のレールは第１の壁部と、第２の壁部と、該第１の壁部及び該第２の壁部の間に連結された長手壁部とを含む。該第１の壁部、該第２の壁部及び該長手壁部によって通路が定義されている。通路は第１の高さを有する。第２のレールは第１のレールに対して移動可能である。第２のレールは本体部及び伸長部を含む。該本体部は第２の高さを有し、該伸長部の端部は第３の高さを有する。前記第１のレールの通路の第１の高さは前記第２のレールの本体部の第２の高さよりも大きく、前記第２のレールの本体部の第２の高さは前記伸長部の端部の第３の高さよりも大きい。前記伸長部は、前記伸長部の後に前記第２のレールの本体部が前記第１のレールの通路に入るようにするために、前記第１のレールの通路内に作動的に入れられる（operatively  placed  into）とともに、前記第１のレールの第１の壁部に支持されるように構成されている。
【０００６】
上記の実施形態によれば、前記第２のレールの本体部は第１の壁部と、第２の壁部と、該第１の壁部及び該第２の壁部の間に連結された長手壁部とを含む。前記第２のレールの第１の壁部は、前記伸長部に沿って所定の距離前記第２のレールの第２の壁部を越えて伸長している。
【０００７】
前記伸長部は、前記第２のレールの第１の壁部及び第２の壁部の間に位置するガイド面を含むことが好ましい。
【０００８】
前記ガイド面は傾斜面であることが好ましい。
【０００９】
上記の実施形態によれば、当該スライドレールアセンブリは、前記第１のレールの通路内で前記第１の壁部及び前記第２の壁部にそれぞれ配置されるとともに、前記第２のレールをガイドするように構成された第１の支持部材及び第２の支持部材をさらに含む。
【００１０】
本発明の別の実施形態によれば、スライドレールアセンブリは保持物体をラックに取り付けるように構成されている。当該スライドレールアセンブリは支持レール、第１のレール及び第２のレールを含む。支持レールは前記ラックに取り付けられるように構成されている。第１のレールは支持レールに対して移動可能である。第１のレールは第１の高さを有する通路を含む。第２のレールは第１のレールの通路内に取り付けられるとともに、前記保持物体を保持するように構成されている。第２のレールは本体部及び伸長部を含む。本体部は第２の高さを有する。伸長部の端部は第３の高さを有する。第１のレールの通路の第１の高さは第２のレールの本体部の第２の高さよりも大きく、第２のレールの本体部の第２の高さは伸長部の端部の第３の高さよりも大きい。
【００１１】
前記第１のレールは第１の壁部と、第２の壁部と、該第１の壁部及び該第２の壁部の間に連結された長手壁部とを含むことが好ましい。前記通路は該第１の壁部、該第２の壁部及び該長手壁部によって定義される。
【００１２】
前記第２のレールの本体部は第１の壁部と、第２の壁部と、該第１の壁部及び該第２の壁部の間に連結された長手壁部とを含むことが好ましい。前記第２のレールの第１の壁部は、前記伸長部に沿って所定の距離前記第２のレールの第２の壁部を越えて伸長している。
【００１３】
本発明の別の実施形態によれば、スライドレールアセンブリは第１のレール及び第２のレールを含む。第１のレールは通路を含む。第２のレールは第１の壁部と、第２の壁部と、該第１の壁部及び該第２の壁部の間に連結された長手壁部とを含む。該第１の壁部は、所定の距離該第２の壁部を越えて伸長した伸長部を有する。前記第２のレールの第１の壁部の伸長部は、該伸長部の後に前記第２のレールが前記第１のレールの通路内に取り付けられるように、前記第１のレールの通路に作動的に入れられるとともに、前記第１のレールに支持されるように構成されている。
【００１４】
様々な図面に図示する下記の好ましい実施形態の詳細な説明を読み終えた後、本発明の上記の目的及び他の目的が当業者に間違いなく明らかになる。
【図面の簡単な説明】
【００１５】
【図１】図１は、本発明の一実施形態に係る、保持物体をラックに取り付けるように構成されたスライドレールアセンブリを示す図である。
【図２】図２は、本発明の一実施形態に係るスライドレールアセンブリを示す図である。
【図３】図３は、本発明の一実施形態に係るスライドレールアセンブリの分解図である。
【図４】図４は、本発明の一実施形態に係る、第１のレールに取り付けられるスライドレールアセンブリの第２のレールを示す図である。
【図５】図５は、本発明の一実施形態に係る、第１のレールの通路に入るスライドレールアセンブリの第２のレールの伸長部を示す図である。
【図６】図６は、本発明の一実施形態に係る、第１のレールの通路に入るスライドレールアセンブリの第２のレールの本体部を示す図である。
【図７】図７は、本発明の一実施形態に係る、第１のレールに支持されているスライドレールアセンブリの第２のレールの伸長部を示す図である。
【図８】図８は、本発明の一実施形態に係る、伸長部のガイド面のガイドを通じて第１のレールの通路に入るスライドレールアセンブリの第２のレールを示す図である。
【図９】図９は、本発明の別実施形態に係るスライドレールアセンブリを示す図である。
【発明を実施するための形態】
【００１６】
図１は、本発明の一実施形態に係る、一対のスライドレールアセンブリ１２を通じてラック１４に取り付けられた保持物体１０を示す図である。具体的には、保持物体１０は電子機器又はシャーシであり得る。
【００１７】
図１及び図２に示すように、各スライドレールアセンブリ１２は、支持レール１６、第１のレール１８及び第２のレール２０を含む。支持レール１６は、ラック１４の第１のポスト２２ａと第２のポスト２２ｂとの間に取り付けられる。第２のレール２０は保持物体１０を保持するように構成されている。ラック１４の内部からラック１４の外部に保持物体１０を移動させることができるように、第１のレール１８及び第２のレール２０は、支持レール１６に対して動かすことができる（例えば、後退状態から伸長状態に切り替わるように動かされる。）。
【００１８】
図３に示すように、支持レール１６は、第１のレール１８を収容するように構成された支持通路２４を含む。第１のレール１８は通路２６を含む。具体的には、第１のレール１８は、第１の壁部２８ａと、第２の壁部２８ｂと、第１の壁部２８ａ及び第２の壁部２８ｂの間に連結された長手壁部３０とを含む。通路２６は、第１の壁部２８ａ、第２の壁部２８ｂ及び長手壁部３０によって定義されるとともに、第２のレール２０を収容するように構成されている。
【００１９】
第２のレール２０は本体部３２及び伸長部３４を含む。具体的には、第２のレール２０の本体部３２は、第１の壁部３６ａと、第２の壁部３６ｂと、第１の壁部３６ａ及び第２の壁部３６ｂの間に連結された長手壁部３８とを含む。
【００２０】
図４に示すように、第１のレール１８は移動可能に支持レール１６に取り付けられている。第１のレール１８の通路２６は第１の高さＨ１を有する。第２のレール２０の本体部３２は第２の高さＨ２を有する。伸長部３４の端部は第３の高さＨ３を有する。第１のレール１８の通路２６の第１の高さＨ１は、第２のレール２０の本体部３２の第２の高さＨ２よりも大きい。第２のレール２０の本体部３２の第２の高さＨ２は、伸長部３４の端部の第３の高さＨ３よりも大きい。第２のレール２０の第１の壁部３６ａは、伸長部３４に沿って所定の距離Ｌ第２のレール２０の第２の壁部３６ｂを越えて伸長している。即ち、第２のレール２０の第１の壁部３６ａは第２のレール２０の第２の壁部３６ｂよりも長い。
【００２１】
図４及び図５に示すように、取り付けプロセスの間、ユーザーは、第２のレール２０を方向Ｄに沿って第１のレール１８の通路２６内に取り付けることができる。そのようなプロセスでは、伸長部３４は、第１のレール１８の通路２６内に作動的に入れられるとともに、第１のレール１８の第１の壁部２８ａに支持されるように構成されている。従って、第１のレール１８の通路２６内への第２のレール２０の取り付けを容易にするために、第２のレール２０を第１のレール１８の通路２６に素早く整合させることができる。スライドレールアセンブリ１２は、第１のレール１８の通路２６内で第１の壁部２８ａ及び第２の壁部２８ｂにそれぞれ配置される第１の支持部材４０及び第２の支持部材４２をさらに含むことが好ましい。第１の支持部材４０及び第２の支持部材４２は、第２のレール２０をガイド又は支持するように構成されている。本実施形態では、第２のレール２０の伸長部３４を第１のレール１８の第１の壁部２８ａにある第１の支持部材４０で支持することができる。
【００２２】
図５及び図６に示すように、第２のレール２０を第１のレール１８に対して方向Ｄに沿ってさらに移動させると、第２のレール２０の本体部３２が第１のレール１８の通路２６内に入る。第２のレール２０の本体部３２が第１のレール１８の通路２６内に入ると、第２のレール２０の本体部３２の第１の壁部３６ａ及び第２の壁部３６ｂは、第１のレール１８の第１の壁部２８ａ及び第２の壁部２８ｂにそれぞれ対応する。
【００２３】
図７及び図８に示すように、第２のレール２０の伸長部３４は、第２のレール２０の第１の壁部３６ａと第２の壁部３６ｂとの間に位置するガイド面４４をさらに含む。ガイド面４４は傾斜面又は湾曲面であり得る。第１のレール１８の通路２６内に第２のレール２０を取り付けるプロセスにおいて、第２のレール２０が第１のレール１８に対して傾いている場合に、第２のレール２０をガイド面４４でガイドして第１のレール１８の通路２６内に入れることができる。
【００２４】
図９は、第２のレール２００の別の実施形態を示す図である。本実施形態と先の実施形態との違いは、第２のレール２００がＬ字状の端部を有している点である。例えば、伸長部２０２は、第２のレール２００の第１の壁部２０４が第２のレール２００の第２の壁部２０６よりも長くなるように、所定の距離第２のレール２００の第２の壁部２０６に加えて第２のレール２００の第１の壁部２０４を越えて均等に伸長している。従って、取り付けプロセスの間、伸長部２０２を通じて、第２のレール２００を第１のレール２０８の第１の壁部２１０で支持することができる。
【００２５】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００２６】
１０  保持物体
１２  スライドレールアセンブリ
１４  ラック
１６  支持レール
１８  第１のレール
２０  第２のレール
２２ａ  第１のポスト
２２ｂ  第２のポスト
２６  通路
２８ａ  第１の壁部
２８ｂ  第２の壁部
３０  長手壁部
３２  本体部
３４  伸長部
３６ａ  第１の壁部
３６ｂ  第２の壁部
３８  長手壁部
４０  第１の支持部材
４２  第２の支持部材
４４  ガイド面
２００  第２のレール
２０２  伸長部
２０４  第１の壁部
２０６  第２の壁部
２０８  第１のレール
２１０  第１の壁部
【図１】
0006442445.tif 000002
【図２】
0006442445.tif 000003
【図３】
0006442445.tif 000004
【図４】
0006442445.tif 000005
【図５】
0006442445.tif 000006
【図６】
0006442445.tif 000007
【図７】
0006442445.tif 000008
【図８】
0006442445.tif 000009
【図９】
0006442445.tif 000010